(57)【要約】      （修正有）【課題】袋に詰められた状態で供給用容器に収容されている内容物を簡単な作業で取り出すことができる内容物取出器を提供する。【解決手段】袋に詰められた状態で供給用容器に収容されている内容物を取り出す内容物取出器１であって、供給用容器の内径よりやや小さな外径を有する円筒状の供給筒２と、供給筒２の下端開口を覆う網を備え、供給筒２の下端部に着脱自在に取り付けられる下蓋３と、載置された供給筒２の下端開口と対向する開口部が形成された載置板４１を有する架台４とを備えている。【選択図】図８
0003185967.tif 000002
【実用新案登録請求の範囲】
【請求項１】
袋に詰められた状態で供給用容器に収容されている内容物を取り出す内容物取出器であって、
前記供給用容器の内径よりやや小さな外径を有する円筒状の供給筒と、
前記供給筒の下端開口を覆う網を備え、前記供給筒の下端部に着脱自在に取り付けられる下蓋と、
載置された前記供給筒の下端開口と対向する開口部が形成された載置板を有する架台とを具備することを特徴とする内容物取出器。
【請求項２】
前記供給筒の上端部は、リブ加工により、丸みを帯びていることを特徴とする請求項１記載の内容物取出器。
【請求項３】
前記載置板には、前記供給筒を位置決めする支持片が設けられていることを特徴とする請求項１又は２記載の内容物取出器。
【考案の詳細な説明】
【技術分野】
【０００１】
本考案は、ペール缶等の供給用容器に収容された内容物を取り出す内容物取出器に関する。
【背景技術】
【０００２】
ペール缶や一斗缶に収容された内容物を取り出す手間を省くため、下記の特許文献１では、缶内の液体取り出し用具が考えられている。この用具では、缶に設けられた吐出口にカップリングが装着され、カップリングを通して缶内に挿入されたエアーパイプで缶内に空気を注入することで、カップリングを介して缶内と接続されたバルブを開くと内容物が流出するようになっている。
【先行技術文献】
【特許文献】
【０００３】
【特許文献１】実開平７−４２１９９号公報
【考案の概要】
【考案が解決しようとする課題】
【０００４】
しかしながら、上記従来の用具では、シリコーンのような粘度が高い内容物を容易に取り出すことができなかった。特に、シリコーン等の内容物がポリ袋等の袋に詰められた状態で収容されている場合には、ヘラ等を用いた手作業で取り出す必要があり、ヘラが袋に引っ掛かる等して作業に大変手間がかかった。
【０００５】
本考案の目的は斯かる課題に鑑みてなされたもので、袋に詰められた状態で供給用容器に収容されている内容物を簡単な作業で取り出すことができる内容物取出器を提供することである。
【課題を解決するための手段】
【０００６】
このような目的を達成するために、本考案の内容物取出器は、袋に詰められた状態で供給用容器に収容されている内容物を取り出す内容物取出器であって、前記供給用容器の内径よりやや小さな外径を有する円筒状の供給筒と、前記供給筒の下端開口を覆う網を備え、前記供給筒の下端部に着脱自在に取り付けられる下蓋と、載置された前記供給筒の下端開口と対向する開口部が形成された載置板を有する架台とを具備することを特徴とする。
さらに、本考案の内容物取出器において、前記供給筒の上端部は、リブ加工により、丸みを帯びていても良い。
さらに、本考案の内容物取出器において、前記載置板には、前記供給筒を位置決めする支持片が設けられていても良い。
【考案の効果】
【０００７】
本考案によれば、供給筒を逆さまにして、上端部側から供給筒を袋と供給用容器との間に進入させ、袋を挟むように下蓋を取り付けた後に、下端部を下にして供給筒を載置板に載置させるという簡単な作業で袋に詰められた状態で供給用容器に収容されている内容物を取り出すことができる。
【図面の簡単な説明】
【０００８】
【図１】本考案に係る内容物取出器の実施の形態の構成を示す側面図である。
【図２】図１の供給筒を示す図である。
【図３】図１の下蓋を示す図である。
【図４】図２の供給筒に図３の下蓋が取り付けられた状態を示す側面図である。
【図５】図１の架台を示す図である。
【図６】本考案に係る内容物取出器の実施の形態を用いた内容物の取り出し動作を説明するための説明図である。
【図７】図１の押出部材を示す図である。
【図８】内容物取出器の使用方法例を示す図である。
【考案を実施するための形態】
【０００９】
以下、図面を参照して、本考案の一実施形態を説明する。
内容物取出器１は、袋に詰められた状態で缶等の供給用容器に収容されている内容物を取り出すための器具であり、図１に示すように、供給筒２と、供給筒２の一端部に着脱自在に取り付けられる下蓋３と、供給筒２が載置される架台４とを備えている。
【００１０】
図２は供給筒２を示す図で、（ａ）は平面図、（ｂ）は側面図である。
供給筒２は、図２に示すように、内容物が袋に詰められた状態で収容されている供給用容器の内径よりやや小さな外径を有した円筒状を呈している。供給筒２の一端部の外周面には、一対の突出片２１が設けられている。突出片２１にはスリット２２が形成されている。そして、突出片２１が設けられていない供給筒２の他端部は、内側に丸めるリブ加工が施されており、丸みを帯びている。以下、突出片２１が設けられている供給筒２の一端部を下端部と称し、他端部を上端部と称す。
【００１１】
図３は下蓋３を示す図で、（ａ）は平面図、（ｂ）は側面図である。
下蓋３は、図３に示すように、供給筒２の外径よりやや大きな内径を有する円筒状の枠体３ａと、枠体３ａの内側に張らされた網３１とで構成されている。網３１は、金網等の板状部材である。枠体３ａの外周面には、一対の突出片３２が設けられている。突出片３２には貫通孔３３が形成されている。
【００１２】
下蓋３は、図４に示すように、供給筒２に設けられた突出片２１のスリット２２に突出片３２を挿通させて、枠体３ａを供給筒２の下端部に被せられることで、供給筒２の下端部に着脱自在に取り付けられる。そして、突出片３２の貫通孔３３に図示しないピンを挿通することで、下蓋３の脱落を防止するとこができるようになっている。
【００１３】
図５は架台４を示す図で、（ａ）は平面図、（ｂ）は側面図である。
架台４は、図５に示すように、供給筒２が載置される載置板４１と、載置板４１を支持する４本の脚部４２とを有している。載置板４１は、方形の平板体の周縁に下方への延出部を設けた形状を呈している。載置板４１の中央部には、載置された供給筒２の下端開口と対向する開口部４３が形成されている。載置板４１の上面には、３つの支持片４４が開口部４３の周囲を囲むように配置されている。支持片４４は、載置板４１上に載置された供給筒２の側面を支持し、供給筒２の下端開口と開口部４３とが対向するように位置決めするためのものである。また、開口部４３は、少なくとも供給筒２の下端開口を含む大きさ及び形状に形成されている。
【００１４】
次に、袋に詰められた状態で缶等の供給用容器に収容されている内容物を、内容物取出器１を使用して取り出す動作について図６を参照して詳細に説明する。
図６（ａ）に示すように、袋９に詰められた状態の内容物１０で収容されている供給用容器７の蓋をとり、供給筒２を逆さまにして、上端部側から供給筒２を袋９と供給用容器７との間に進入させる。この際、供給筒２の上端部は、リブ加工によって丸みを帯びているため、袋９を傷付けることがない。
【００１５】
次に、図６（ｂ）に示すように、袋９の端部を供給筒２の下端部側から引き出し、引き出した袋９を挟むように、下蓋３を供給筒２の下端部に取り付ける。この状態で、図１に示すように、下端部を下にして供給筒２を載置板４１に載置させ、供給筒２の下端開口と、載置板４１に形成された開口部４３とを対向配置させる。これにより、内容物１０の大半は、袋９に邪魔されることなく、供給筒２の下端開口と、載置板４１の開口部４３とを介して、自重によって落下する。なお、下蓋３には、網３１が張られているため、袋９が供給筒２の下端開口から垂れ下がってしまうことがない。
【００１６】
次に、供給用容器７を取り除くことで、供給筒２の上端開口を開放する。なお、供給用容器７は、下蓋３を供給筒２の下端部に取り付けて袋９を固定した後は、どのタイミングで取り除いても良い。そして、供給筒２の上端開口から袋９の供給筒２の下端開口に向けて押し付けることで、残った内容物１０を供給筒２の下端開口と、載置板４１の開口部４３とを介して、落下させる。これにより、袋９に残った内容物１０を袋９から分離させることができ、袋９に詰められた状態で供給用容器７に収容されている内容物１０を容易に
取り出すことができる。
【００１７】
供給筒２の上端開口から袋９の供給筒２の下端開口に向けて押し付ける道具として、図１に示す押出部材６を用いると良い。押出部材６は、図７に示すように、円板状の押出板６１と、押出板６１の上面から上方に延びた軸６２と、軸６２の上端に設けられた取っ手６３とで構成されている。図７において（ａ）は平面図、（ｂ）は側面図である。押出板６１は、供給筒２の内径よりやや小さな外径を有している。軸６２は、円筒状を呈しており、押出板６１の中央部から上方に延びている。取っ手６３は、円筒状を呈しており、軸６２の上端から押出板６１と平行に延びている。押出部材６を用いることで、押出板６１によって供給筒２内の袋９を満遍なく供給筒２の下端開口に向けて押し付けることができ、残った内容物１０をほぼ完全に落下させることができる。
【００１８】
図８（ａ）には、比較的小さい取出用容器１１ａに向けて内容物１０を取り出す例が示されている。比較的小さい取出用容器１１ａに向けて内容物１０を取り出す場合には、図８（ａ）に示すように、架台４の脚部４２の間に取出用容器１１ａを配置させ、載置板４１の開口部４３から落下する内容物１０を取出用容器１１ａに直接収容させるようにすると良い。なお、この場合には、載置板４１の開口部４３から落下する内容物１０が取出用容器１１ａからこぼれる虞があるため、取出用容器１１ａの上端部に漏斗１２を載置すると好適である。漏斗１２は、取出用容器８の内径よりもやや小さな外径を有した円筒体と、円筒体の上端から拡径して上方に延びた拡径部とで構成されている。
【００１９】
図８（ｂ）には、架台４の脚部４２の間に配置させることができない大きな取出用容器１１ｂに向けて容物１０を取り出す例が示されている。大きな取出用容器１１ｂに向けて容物１０を取り出す場合には、図８（ｂ）に示すように、取出用容器１１ｂの開口部に板１３を架け渡し、板１３上に架台４の脚部４２を載置させ、載置板４１の開口部４３から落下する内容物１０を取出用容器１１ｂに直接収容させるようにすると良い。
【００２０】
本実施の形態によれば、袋９に詰められた状態で供給用容器７に収容されている内容物１０を取り出す内容物取出器１であって、供給用容器７の内径よりやや小さな外径を有する円筒状の供給筒２と、供給筒２の下端開口を覆う網３１を備え、供給筒２の下端部に着脱自在に取り付けられる下蓋３と、載置された供給筒２の下端開口と対向する開口部４３が形成された載置板４１を有する架台４とを備えている。
この構成により、供給筒２を逆さまにして、上端部側から供給筒２を袋９と供給用容器７との間に進入させ、袋９を挟むように下蓋３を取り付けた後に、下端部を下にして供給筒２を載置板４１に載置されるという簡単な作業で袋に詰められた状態で供給用容器に収容されている内容物を取り出すことができる。
【００２１】
また、本実施形態によれば、供給筒２の上端部は、リブ加工により、丸みを帯びている。
この構成により、上端部側から供給筒２を袋９と供給用容器７との間に進入させる際に袋９を傷付けることがない。
【００２２】
また、本実施の形態によれば、載置板４１に、供給筒２を位置決めする支持片４４が設けられている。
この構成により、載置板４１に載置させた供給筒２を位置決めすることができ、供給筒２の下端開口と、載置板４１に形成された開口部４３とを簡単に対向配置させることができる。
【００２３】
上記実施の形態では、供給筒２の突出片２１が備えるスリット２２に下蓋３の突出片２１を挿通させ、突出片２１の貫通孔３３にピンを挿通することで供給筒２に下蓋３を固定したが、供給筒２に対する下蓋３の固定方法は任意である。また、上記実施形態では、供給筒２が円筒状を呈していたが、供給筒２の形状は供給用容器７の形状に応じて定めることができる。
【００２４】
また、上記実施の形態では、架台４が４本の脚部４２を有している場合について説明したが、架台４が備える脚部４２の本数は任意である。また、載置板４１の上面に設ける支持片４４の数量も３つには限られない。また、押出部材６の形状や漏斗１２の形状も上記実施形態での構成には限定されない。
【符号の説明】
【００２５】
１  内容物取出器
２  供給筒
３  下蓋
３ａ  枠体
６  押出部材
７  供給用容器
８  取出用容器
９  袋
１０  内容物
１１ａ、１１ｂ      取出用容器
１２  漏斗
１３  板
２１  突出片
２２  スリット
３１  網
３２  突出片
３３  貫通孔
４  架台
４１  載置板
４２  脚部
４３  開口部
４４  支持片
６１  押出板
６２  軸
６３  取っ手
【図１】
0003185967.tif 000003
【図２】
0003185967.tif 000004
【図３】
0003185967.tif 000005
【図４】
0003185967.tif 000006
【図５】
0003185967.tif 000007
【図６】
0003185967.tif 000008
【図７】
0003185967.tif 000009
【図８】
0003185967.tif 000010